(57)【要約】【課題】腕帯の巻き付けや取り外しの際の操作が楽にできる上、コンパクトに腕帯を収納しておくことができ、且つ、構造が単純でコストのかからない、血圧計の腕帯の巻き取り装置を提供する。【解決手段】腕載せ台１１を挟む一方側に腕帯の繰り出し用の開口部１２、他方側に繰り出した腕帯の先端をロックするロックガイド５０を有するケース１０と、ケース内部の腕帯の巻き取りドラム１１０と、巻き取りドラムに巻き取られ、先端がロックガイドにロックされることで、腕載せ台上の腕の上に巻き付く腕帯２０と、巻き取りドラムを回転付勢する回転付勢部材と、腕帯の先端がロックされたとき、巻き取りドラムの回転をロックするロックレバー１２０と、を具備する。ロックガイドの近傍に、腕帯の先端がロックされたとき、腕帯側のエア注入口４０と接続するエアポンプ側のエア吐出口を設けた。【選択図】図２
0003125497.tif 000002
【実用新案登録請求の範囲】
【請求項１】
上面に腕載せ台を有すると共に、その腕載せ台を挟む一方側に腕帯の繰り出し部、他方側に繰り出した腕帯の先端をロックする先端ロック部を有するケースと、
該ケースの内部に配置された腕帯の巻き取りドラムと、
該巻き取りドラムに基端側から巻き取られ、先端が前記繰り出し部から繰り出されて前記先端ロック部にロックされることで、先端と基端の中間部が、前記腕載せ台上に載せられた腕の上に巻き付く腕帯と、
該腕帯を巻き取る方向に前記巻き取りドラムを回転付勢する回転付勢部材と、
前記腕帯の先端が前記先端ロック部にロックされたとき、前記巻き取りドラムの回転をロックして腕帯の基端側を固定するドラムロック機構と、
を具備することを特徴とする血圧計の腕帯の巻き取り装置。
【請求項２】
請求項１に記載の血圧計の腕帯の巻き取り装置であって、
前記ケースの先端ロック部に、該先端ロック部に前記腕帯の先端がロックされたとき、該腕帯の先端に設けられて腕帯にエアを注入するエア注入口と接続するエアポンプ側のエア吐出口を設けたことを特徴とする血圧計の腕帯の巻き取り装置。
【請求項３】
請求項２に記載の血圧計の腕帯の巻き取り装置であって、
前記腕帯の先端に、前記先端ロック部にロックする被ロック部と前記エア注入口とを備える硬質材料製のコネクタを設ける共に、前記ケースに前記コネクタを挿入するコネクタ挿入口を設け、そのコネクタ挿入口の中に、前記先端ロック部を構成するロックガイドを設けたことを特徴とする血圧計の腕帯の巻き取り装置。
【請求項４】
請求項３に記載の血圧計の腕帯の巻き取り装置であって、
前記繰り出し部の両側に前記コネクタの両側部を受け止める受け部を設けたことを特徴とする血圧計の腕帯の巻き取り装置。
【考案の詳細な説明】
【技術分野】
【０００１】
本考案は、血圧計の腕帯の巻き取り装置に関するものである。
【背景技術】
【０００２】
一般的な血圧計では、腕帯（カフ帯ともいう）は、単なる自由な幅広のバンド状のものとして備わっており、測定時に、それを手で腕に巻き付けて、面ファスナ等で固定している。そして、使用後は、腕から外して、適当に丸めたりして保管しているのが現状である。
【０００３】
しかし、腕帯は長めのものであり且つ柔軟なものであるから、被験者が自分で腕に巻き付ける場合に、非常に取り扱いにくいという問題があった。また、腕帯を保管する際も、いちいち丸めないと、コンパクトに収納できないという問題があった。
【０００４】
一方、被験者が腕を円筒状のハウジングの中に通して、スイッチをオンすると、自動的に腕帯が腕に巻き付いて、血圧の測定が始まる自動血圧計（アームイン式の血圧計）も知られている（特許文献１、２参照）。
【０００５】
【特許文献１】特開２００４−２５４８８２号公報
【特許文献２】特開２０００−１０７１４０号公報
【考案の開示】
【考案が解決しようとする課題】
【０００６】
しかし、アームイン式の血圧計は、円筒状のハウジングの狭い穴の中に腕を通す形式であるため、通しづらいという問題がある上に、構造が複雑であるので、コンパクト化が難しく、コストがかかるという問題があった。
【０００７】
本考案は、上記事情を考慮し、腕帯の巻き付けや取り外しの際の操作が楽にできる上、コンパクトに腕帯を収納しておくことができ、且つ、構造が単純でコストのかからない、血圧計の腕帯の巻き取り装置を提供することを目的とする。
【課題を解決するための手段】
【０００８】
請求項１の考案は、上面に腕載せ台を有すると共に、その腕載せ台を挟む一方側に腕帯の繰り出し部、他方側に繰り出した腕帯の先端をロックする先端ロック部を有するケースと、該ケースの内部に配置された腕帯の巻き取りドラムと、該巻き取りドラムに基端側から巻き取られ、先端が前記繰り出し部から繰り出されて前記先端ロック部にロックされることで、先端と基端の中間部が、前記腕載せ台上に載せられた腕の上に巻き付く腕帯と、該腕帯を巻き取る方向に前記巻き取りドラムを回転付勢する回転付勢部材と、前記腕帯の先端が前記先端ロック部にロックされたとき、前記巻き取りドラムの回転をロックして腕帯の基端側を固定するドラムロック機構と、を具備することを特徴とする。
【０００９】
請求項２の考案は、請求項１に記載の血圧計の腕帯の巻き取り装置であって、前記ケースの先端ロック部に、該先端ロック部に前記腕帯の先端がロックされたとき、該腕帯の先端に設けられて腕帯にエアを注入するエア注入口と接続するエアポンプ側のエア吐出口を設けたことを特徴とする。
【００１０】
請求項３の考案は、請求項２に記載の血圧計の腕帯の巻き取り装置であって、前記腕帯の先端に、前記先端ロック部にロックする被ロック部と前記エア注入口とを備える硬質材料製のコネクタを設ける共に、前記ケースに前記コネクタを挿入するコネクタ挿入口を設け、そのコネクタ挿入口の中に、前記先端ロック部を構成するロックガイドを設けたことを特徴とする。
【００１１】
請求項４の考案は、請求項３に記載の血圧計の腕帯の巻き取り装置であって、前記繰り出し部の両側に前記コネクタの両側部を受け止める受け部を設けたことを特徴とする。
【考案の効果】
【００１２】
請求項１の考案によれば、使用時に腕帯をケースから必要長さ分だけ繰り出すことができ、使用後に腕帯を自動的にケース内に巻き取ることができるので、腕帯をすっきりと邪魔にならないように収納することができる。また、腕載せ台の上に片方の腕を載せ、別の手で腕帯の先端を引き出して、その先端をケースの先端ロック部にロックさせることにより、巻き取りドラムの回転付勢によるテンションがかかった状態で、腕帯の両端を共にロックすることができるので、腕帯を適度の圧力で腕に巻き付けることができる。従って、その状態で腕帯にエアを導入することにより、効率よくエア圧を腕帯を介して腕に加えることができ、血圧測定が可能となる。
【００１３】
このように、測定者が腕を腕載せ台に載せて、他方の手で腕帯を繰り出してロックさせるだけで、血圧測定が可能となるので、従来のように全部が自由な状態の腕帯を片手で腕に巻き付ける場合と比べて、取り扱いがやりやすい。また、従来のアームイン式の血圧計と比べて構造が単純であるので、コンパクトでコストがかからない上、狭い穴の中に腕を通す必要もないので、操作性がよい。
【００１４】
請求項２の考案によれば、腕帯の先端をケースから引き出してロックさせれば、自動的に腕帯側のエア注入口とエアポンプ側のエア吐出口とを接続することができるので、ケース内にエアポンプを配置する場合に、エアポンプを巻き取りドラムに邪魔されずに楽にレイアウトすることができる。
【００１５】
請求項３の考案によれば、腕帯の先端に設けた硬質材料製のコネクタに、被ロック部とエア注入口とをまとめて設け、そのコネクタをケース側のコネクタ挿入口に挿入することで、腕帯の先端をロックすると同時にエア注入口とポンプ側のエア吐出口とを接続するようにしたので、腕帯の先端のロックが確実にできると共に、エア通路同士の接続も確実に行うことができる。また、柔軟性を有する腕帯の先端に硬質材料製のコネクタを設けたことにより、腕帯の先端の取り扱いがやりやすくなる。
【００１６】
請求項４の考案によれば、腕帯の先端に設けたコネクタを受け部で受け止めることにより、巻き取り方向に付勢された腕帯の巻き取りストップをかけることができ、腕帯やコネクタの不用意な飛び出しを防止して、次のスムーズな腕帯の繰り出しに備えることができる。
【考案を実施するための最良の形態】
【００１７】
以下、本考案の実施形態を図面を参照しながら説明する。
図１は実施形態の腕帯の巻き取り装置を含む血圧計の外観斜視図、図２は腕帯を繰り出している状態を示す斜視図、図３はケース内部の機構の分解斜視図、図４は同機構の原理説明のための側面図で、（ａ）はロック前の状態、（ｂ）はロック時の状態を示す図、図５はエア注入口とエア吐出口の接続状態を示す断面図である。
【００１８】
図１、図２に示すように、この血圧計は、四角い箱型のケース１０と、そのケース１０の内部に収容された腕帯２０と、腕帯２０の巻き取りドラム１１０と、エアポンプ８０（図５参照）、並びに、図示しないその他の血圧測定に必要な手段や表示部などから構成されている。
【００１９】
ケース１０は、上面に被験者の上腕を載せる腕載せ台１１を有すると共に、その腕載せ台１１を挟む一方側に腕帯２０の繰り出し用の開口部（繰り出し部）１２、他方側にコネクタ挿入口１３を有する。コネクタ挿入口１３の中には、繰り出した腕帯２０の先端のコネクタ３０をロックするための枠型のロックガイド５０（先端ロック部）が配置してある。
【００２０】
腕帯２０は、巻き取りドラム１１０に基端側から巻き取られており、先端のコネクタ３０が、繰り出し用の開口部１２から繰り出されてコネクタ挿入口１３内のロックガイド５０にロックされることで、先端と基端の中間部を、腕載せ台１１上に載せられた上腕に巻き付けるようになっている。繰り出し用の開口部１２は、上腕への腕帯２０の巻き付けが十分に行われるように大きく形成されている。また、同じ理由で、巻き取りドラム１１０からの腕帯２０の引き出しは、腕載せ台１１に近い側から行われている。また、繰り出し用の開口部１２の両側のケース側壁には、コネクタ３０の両側部を受け止めるための凹状の受け部１４が設けられている。
【００２１】
コネクタ３０は、硬質樹脂製の帯板状のもので、手で掴むためのハンドル３１と、２つのロック孔（被ロック部）３２と、腕帯２０内部の空気袋２２にエアを導入するためのエア注入口４０と、を備えている。
【００２２】
また、ロックガイド５０は、図３に示すように、コネクタ３０を差し込める空所を有する枠状のもので、その空所にコネクタ３０が差し込まれたときに、コネクタ３０側のロック孔３２と係合するロック突起５２と、ロックを解除するためのイジェクトレバー５１と、後述するロックレバー１２０のカム１２３が出入りするスリット５３と、を備えている。イジェクトレバー５１は、可撓性を持たせるために細枠状に形成してあり、その根元付近にロック突起５２が配置されている。
【００２３】
また、ロックガイド５０の近傍には、図５に示すように、コネクタ３０がロックガイド５０に差し込まれてロックされたときに、コネクタ３０側のエア注入口４０と接続するエアポンプ８０のエア吐出口８２が配置されている。
【００２４】
図３、図４に示すように、巻き取りドラム１１０は、シャフト１３０を介してケース１０に取り付けられており、巻き取りドラム１１０とシャフト１３０との間に介在された回転付勢部材であるスプリング（不図示）によって、常時矢印Ａ方向（腕帯２０を巻き取る方向）に回転付勢されている。巻き取りドラム１１０の軸線方向の両端の円周上には、巻き取りドラム１１０の回転をロックするためのラチェット爪１１１が設けられている。
【００２５】
また、巻き取りドラム１１０とロックガイド５０との間には、腕帯２０の先端のコネクタ３０がロックガイド５０にロックされたときに、巻き取りドラム１１０の回転をロックして腕帯２０の基端側を固定するロックレバー（ドラムロック機構）１２０が配置されている。このロックレバー１２０は、巻き取りドラム１１０と平行な位置にシャフト１４０を介してケース１０に揺動自在に取り付けられている。
【００２６】
このロックレバー１２０は、巻き取りドラム１１０の両端にあるラチェット爪１１１と噛み合う位置にロック爪１２１を有すると共に、ロックガイド５０のスリット５３に対応した位置にカム１２３を有している。ロックレバー１２０は、図示しないスプリングによって矢印Ｂ方向に付勢されており、カム１２３が押されていないときは、そのスプリングの付勢力によって、ロック爪１２１をラチェット爪１１１から離れた位置に保持する。カム１２３は、ロックガイド５０に腕帯２０の先端のコネクタ３０が差し込まれたときに、コネクタ３０に押されることで、ロックレバー１２０を前記スプリングに抗して矢印Ｂ方向と反対方向に揺動させる。
【００２７】
次に作用を説明する。
初期状態では、腕帯２０は巻き取りドラム１１０に巻き取られており、ケース１０内部に収容されている。この状態から被験者自身で血圧測定を行う場合には、左の上腕を腕載せ台１１の上に載せ、右手でコネクタ３０に取り付けられているハンドル３１を引っ張り、繰り出し用の開口部１２から腕帯２０を引き出して、腕載せ台１１上に載せた上腕に巻き付ける。
【００２８】
腕帯２０を上腕に巻き付けた状態で、ケース１０のコネクタ挿入口１３に腕帯２０の先端のコネクタ３０を挿入すると、コネクタ３０がロックガイド５０にロックされて、腕帯２０の巻き付けが完了する。このとき、巻き取りドラム１１０に巻き付けられている腕帯２０は、回転付勢力に逆らって引き出されることになるので、このときのテンションが、上腕に巻き付けた際の初期締め付け力となる。
【００２９】
ここで、ロックする前の状態では、図４（ａ）に示すように、ロックレバー１２０には、矢印Ｂ方向の回転力が働いていて、巻き取りドラム１１０に設けられたラチェット爪１１１とロック爪１２１とが離れているため、巻き取りドラム１１０は回転可能である。また、ロックアーム１２０に設けられたカム１２３は、ロックガイド５０のスリット５３の中に入り込んでいる。
【００３０】
しかし、図４（ｂ）に示すように、コネクタ３０をコネクタ挿入口１３に差し込むと、コネクタ３０がロックガイド５０の中に入り込み、イジェクトレバー５１の可撓性により、ロック突起５２とロック孔３２が係合して腕帯２０の先端がケース１０にロックされる。それと同時に、ロックガイド５０のスリット５３から突出したロックレバー１２０のカム１２３にコネクタ３０が当たることで、カム１２３が下側に押し下げられ、その結果、矢印Ｂ方向とは逆方向にロックレバー１２０が回転して、ロックレバー１２０のロック爪１２１が巻き取りドラム１１０のラチェット爪１１１と係合して、巻き取りドラム１１０の回転がロックされる。従って、この段階で基端側と先端側が同時に固定された状態で腕帯２０が上腕に巻き付くことになる。
【００３１】
また、このようにコネクタ３０がロックガイド５０にロックされた段階で、図５に示すように、腕帯２０側のエア注入口４０とエアポンプ８０のエア吐出口８２とが連結されるため、腕帯２０に空気を注入して血圧測定を行えるようになる。なお、腕帯２０にエアが注入されても、巻き取りドラム１１０はロックされているので、回転することはなく、腕帯２０が緩むこともない。
【００３２】
測定が終了したら、ロックガイド５０に設けられたイジェクトレバー５１を外す方向に押せば、ロックが外れて、腕帯２０の先端とケース１０の結合が解除される。更にロックガイド５０からコネクタ３０を引き抜くと、ロックレバー１２０のカム１２３も、コネクタ３０による押し下げ状態から解放される。従って、ロックレバー１２０は、図示しないスプリングの力によって再び矢印Ｂ方向に回転し、その結果、巻き取りドラム１１０のラチェット爪１１１からロックレバー１２０のロック爪１２１が外れて、巻き取りドラム１１０が再び矢印Ａ方向に回転し、ロック解除された腕帯２０が巻き取りドラム１１０に巻き取られ、ケース１０内に収容されることになる。また、コネクタ３０のロックガイド５０から引き抜きにより、エア注入口４０とエア吐出口８２の結合も解除される。
【００３３】
以上説明したように、本実施形態の腕帯の巻き取り装置を含む血圧計によれば、使用時に腕帯２０をケース１０から必要長さ分だけ繰り出すことができ、使用後に腕帯２０を自動的にケース１０内に巻き取ることができるので、腕帯２０をすっきりと邪魔にならないように収納することができる。また、腕載せ台１１の上に片方の腕を載せ、別の手で腕帯２０の先端を引き出して、その先端のコネクタ３０をケース２０のコネクタ挿入口１３に差し込んでロックさせることにより、巻き取りドラム１１０の回転付勢によるテンションがかかった状態で、腕帯２０の両端を共にロックすることができるので、腕帯２０を適度の圧力で腕に巻き付けることができる。従って、その状態で腕帯２０にエアを導入することにより、効率よくエア圧を腕帯２０を介して腕に加えることができ、血圧測定が可能となる。
【００３４】
このように、測定者が腕を腕載せ台１１に載せて、他方の手で腕帯２０を繰り出してロックさせるだけで、血圧測定が可能となるので、従来のように全部が自由な状態の腕帯を片手で腕に巻き付ける場合と比べて、取り扱いがやりやすい。また、従来のアームイン式の血圧計と比べて構造が単純であるので、コンパクトでコストがかからない上、狭い穴の中に腕を通す必要もないので、操作性がよい。
【００３５】
また、腕帯２０の先端をケース１０から引き出してロックさせれば、自動的に腕帯２０側のエア注入口４０とエアポンプ８０側のエア吐出口８２とを接続することができるので、ケース１０内にエアポンプ８０を配置する場合に、エアポンプ８０を巻き取りドラム１１０に邪魔されずに楽にレイアウトすることができる。
【００３６】
また、腕帯２０の先端に設けた硬質材料製のコネクタ３０に、ロック孔３２とエア注入口４０とをまとめて設け、そのコネクタ３０をケース１０側のコネクタ挿入口１３に挿入することで、腕帯２０の先端をロックすると同時にエア注入口４０とポンプ８０側のエア吐出口８２とを接続するようにしているので、腕帯２０の先端のロックが確実にできると共に、エア通路同士の接続も確実に行うことができる。また、柔軟性を有する腕帯２０の先端に硬質材料製のコネクタ３０を設けたことにより、腕帯２０の先端の取り扱いがやりやすくなる利点も得られる。
【００３７】
また、腕帯２０の先端に設けたコネクタ３０を受け部１４で受け止めるようにしているので、巻き取り方向に付勢された腕帯２０に巻き取りストップをかけることができ、腕帯２０やコネクタ３０の不用意な飛び出しを防止して、次のスムーズな腕帯２０の繰り出しに備えることができる。
【００３８】
なお、本考案の腕帯の巻き取り装置は、上記実施形態のように血圧計の本体部と一体に構成してもよいが、血圧計の本体部と別に構成して、チューブで本体部と繋いでもよい。その場合、エア吐出口８２にチューブを繋げばよい。
【図面の簡単な説明】
【００３９】
【図１】本考案の実施形態の腕帯の巻き取り装置を含む血圧計の外観斜視図である。
【図２】同血圧計において、ケースから腕帯を繰り出している状態を示す斜視図である。
【図３】同ケース内部の機構の分解斜視図である。
【図４】同機構の原理説明のための側面図で、（ａ）はロック前の状態、（ｂ）はロック時の状態を示す図である。
【図５】同血圧計における腕帯側のエア注入口とエア吐出口の接続状態を示す断面図である。
【符号の説明】
【００４０】
１０  ケース
１１  腕載せ台
１２  繰り出し用の開口部（繰り出し部）
１３  コネクタ挿入口
１４  受け部
２０  腕帯
３０  コネクタ
３２  ロック孔（被ロック部）
４０  エア注入口
５０  ロックガイド（先端ロック部）
５２  ロック突起（ロック部）
８０  エアポンプ
８２  エア吐出口
１１０  巻き取りドラム
１２０  ロックレバー（ドラムロック機構）
【図１】
0003125497.tif 000003
【図２】
0003125497.tif 000004
【図３】
0003125497.tif 000005
【図４】
0003125497.tif 000006
【図５】
0003125497.tif 000007